(57)【要約】【課題】構造が簡単で、レンズ取り付け操作に便利であり、レンズのずれを防ぐ眼鏡フレームを提供すること。【解決手段】左右のリム２０のノーズパッド近くの位置に切り込み２４が設けられ、切り込み２４を挟んだ両側においてリム２０の上下に対向する位置に、径方向外側に向かって第１クリングス３１と第２クリングス３２が設置され、第１クリングス３１と第２クリングス３２のリム内周縁近くの位置に相互に接合可能な階段状切込み口２４１が形成され、第１クリングス３１と第２クリングス３２の先端部に、パッド片３０の中に挿入されるインサート部３１１，３２１がそれぞれ設置され、インサート部３１１，３２１の相対する位置に相互に閉じ合わせ可能な凹凸歯形部３１２，３２２が形成される。【選択図】図２
0003179406.tif 000002
【実用新案登録請求の範囲】
【請求項１】
左右のリムの耳寄りにそれぞれテンプルが連結され、左右のリム間にブリッジが設けられ、左右のリムの鼻寄りにそれぞれノーズパッドが設置され、前記リムの前記ノーズパッド近くの位置に、該リムの開口となる切り込みが設けられ、前記切り込みを挟んだ両側において前記リムの上下に対向する位置に、径方向外側に向かって第１クリングスと第２クリングスが設置され、前記第１クリングスと第２クリングスの前記リム内周縁近くの位置に相互に接合可能な階段状切込み口が形成され、前記第１クリングスと第２クリングスの先端部に下方向に向けてインサート部がそれぞれ設置され、前記第１クリングスと第２クリングス及びインサート部によって前記ノーズパッドの柄が形成され、前記インサート部が前記ノーズパッドの本体部であるパッド片の中に挿入され、前記各インサート部の相対する位置に相互に閉じ合わせ可能な凹凸歯形部が形成されたことを特徴とする、眼鏡フレーム。
【考案の詳細な説明】
【技術分野】
【０００１】
本考案は、構造が簡単で操作に便利であり、レンズがずれることを防止できる、眼鏡フレームに関する。
【背景技術】
【０００２】
眼鏡は人々が視力を矯正するための生活ツールであり、人々のさまざまなニーズに合わせて多様なスタイルが開発されている。
現在は軽便性が重視されており、レンズの凹溝にナイロンの糸を通してレンズを固定するものや、テンプルを直接レンズ上に固定した縁なしフレームの眼鏡が多く見受けられるようになっている。どちらの形式もそれぞれ優位性があるが、いずれもネジを使用してレンズを固定する必要があり、手間とコストがかかる。
しかも、眼鏡は長期の使用で変形が生じやすく、リムのゆがみに伴ってレンズの位置にずれが生じ、本来のレンズ角度で眼鏡を使用できない状態になり、これが度数進行の原因の一つとなっている。以上の欠点は長く存在する問題であり、これまで改善がなされていない。
【考案の概要】
【考案が解決しようとする課題】
【０００３】
本考案が解決しようとする課題は、構造が簡単で、レンズ取り付け操作に便利であり、レンズのずれを防ぐ眼鏡フレームを提供することにある。
【課題を解決するための手段】
【０００４】
本考案の眼鏡フレームは、左右のリムの耳寄りにそれぞれテンプルが連結され、左右のリム間にブリッジが設けられ、左右のリムの鼻寄りにそれぞれノーズパッドが設置され、前記リムの前記ノーズパッド近くの位置に、該リムの開口となる切り込みが設けられ、前記切り込みを挟んだ両側において前記リム外周部の上下に対向する位置に第１クリングスと第２クリングスが設置され、前記第１クリングスと第２クリングスの前記リム内周縁近くの位置に相互に接合可能な階段状切込み口が形成され、前記第１クリングスと第２クリングスの先端部に下方向に向けてインサート部がそれぞれ設置され、前記第１クリングスと第２クリングス及びインサート部によって前記ノーズパッドの柄が形成され、前記インサート部が前記ノーズパッドの本体部であるパッド片の中に挿入され、前記各インサート部の相対する位置に相互に閉じ合わせ可能な凹凸歯形部が形成されて成る。
【考案の効果】
【０００５】
本考案の眼鏡フレームは、リムを切り込みの個所から開口させてレンズを簡単にはめ込むことができ、クリングスは階段状切込み口によって相互に閉じ合わせ可能なので、リムの歪みを防止すると共に、２つのインサート部も相互に結合される凹凸歯形部を備え、リムを緊密に閉じ合わせてレンズを固定でき、これによりレンズを挟み込んだときに高い安定性とゆがみ防止効果を発揮し、迅速にリムでレンズを挟み込み、安定して保持することができる。
【図面の簡単な説明】
【０００６】
【図１】本考案の実施例に係る眼鏡の分解斜視図である。
【図２】本考案の実施例に係る眼鏡の要部拡大図である。
【考案を実施するための形態】
【０００７】
以下、本考案の実施例を図面に基づいて詳細に説明する。
本考案の眼鏡フレームは、図１に示すように、左右のリム２０と、左右のリム２０の耳寄りにそれぞれ連接されたテンプル１と、左右のリム２０間を連結するブリッジ３と、左右のリム２０の鼻寄りにそれぞれ設けられたノーズパッド２を備え、左右のリム２０にレンズ１０が嵌合されるようになっている。
リム２０は、外周側の外リム２１と内周側の内リム２２を備え、内リム２２と外リム２１の間に間隙２３が形成される。間隙２３の両端において、ノーズパッド２近くの位置に、間隙２３の無い封鎖部２６が形成される。封鎖部２６の上下端に位置し、外リム２１と内リム２２を連結する連結辺２５が相対位置にあり、レンズ１０をリム２０内に入れたとき、リム２０の連結辺２５よりもテンプル１寄りの部分がレンズ１０の形状に馴染むように自動的に湾曲する。
【０００８】
図２に示すように、リム２０のノーズパッド２近くの位置に切り込み２４が設けられ、リム２０に開口が形成され、これがレンズ１０を取り付ける際の入口として用いられる。  切り込み２４を挟んだ両側においてリム２０の上下に対向する位置に、径方向外側に向けて第１クリングス３１、第２クリングス３２が設けられる。第１クリングス３１、第２クリングス３２のリム２０内周縁近くの位置に、相互に接合される階段状切込み口２４１が形成される。
第１クリングス３１、第２クリングス３２の先端部には下方向に向けてインサート部３１１、３２１がそれぞれ設置され、第１クリングス３１及びインサート部３１１と第２クリングス３２及びインサート部３２１によってノーズパッド２の柄が形成される。
これら２つのインサート部３１１、３２１の相対位置に相互に閉じ合わされる凹凸歯形部３１２、３２２が形成される。
【０００９】
レンズ１０をはめ込む時は、切り込み２４からリム２０を開き、レンズ１０を内リム２２中に入れる。レンズ１０の外周囲には凹溝１１が設けられており、この凹溝１１に内リム２２を嵌入させて固定することができる。
レンズ１０をリム２０内に入れた後は、第１クリングス３１及び第２クリングス３２に形成された階段状切込み口２４１を迅速に閉じ合わせ、さらに、インサート部３１１、３２１の凹凸歯形部３１２、３２２を閉じ合わせ、最後にノーズパッド２の本体部であるパッド片３０を被着する。
【００１０】
階段状切込み口２４１は安定して噛み合うのでこれまでのようにリム２０が歪んで取り付け不良の状況が発することがなく、迅速に第１クリングス３１と第２クリングス３２を組み立てることができ、切り込み２４によって形成されるリム２０の開口の安定とレンズ１０の固定に最良の組み立て効果を達し、時間と手間を省くと同時に安定した固定を得ることができる。
上述をまとめると、本考案の眼鏡フレームは構造が簡単で、組み立てに便利であり、レンズの正常な使用を保護することができ、実用的価値と経済的効果を確実に得ることができる。
【符号の説明】
【００１１】
１        テンプル
２        ノーズパッド
３        ブリッジ   
１０      レンズ
１１      凹溝      
２０      リム 
２１      外リム
２２      内リム    
２３      間隙
２４      切り込み
２４１    階段状切込み口
２５      連結辺
２６      封鎖部
３０      パッド片
３１      第１クリングス
３２      第２クリングス
３１１、３２１    インサート部
３１２、３２２    凹凸歯形部
【図１】
0003179406.tif 000003
【図２】
0003179406.tif 000004